【手続補正書】
【提出日】平成28年6月20日(2016.6.20)
【手続補正１】
【補正対象書類名】特許請求の範囲
【補正対象項目名】全文
【補正方法】変更
【補正の内容】
【特許請求の範囲】
【請求項１】
動画像を構成する画像を複数の階層で階層符号化する画像符号化装置であって、
前記画像の第１の階層に対応する第１の画像と、当該第１の階層と異なる第２の階層に対応する第２の画像であって、前記第１の画像を参照して符号化される第２の画像と、前記第１及び第２の階層と異なる第３の階層に対応する第３の画像であって、前記第２の画像を参照して符号化される第３の画像と
のうち少なくともいずれかを取得する第１の取得手段と、
前記第１の画像、前記第２の画像、及び前記第３の画像のうちの少なくともいずれかを符号化する符号化手段と、
を有し、
前記符号化手段は、
前記第２の画像内の所定領域を、前記第１の画像内の、前記第２の画像内の所定領域と対応する領域及び／又は前記第２の画像の所定領域と対応する領域以外の領域を参照して符号化し、
前記第３の画像内の、前記第２の画像内の所定領域に対応する領域を、前記第２の画像内の所定領域以外の領域を参照せずに、前記第２の画像内の所定領域を参照して符号化する
ことを特徴とする画像符号化装置。
【請求項２】
前記第１の画像、前記第２の画像、及び前記第３の画像のうち少なくともいずれかの画像が、特定の領域のみを参照して符号化されるか否かを判定する判定手段
を有し、
前記判定手段によって、前記第２の画像の所定領域が前記特定の領域のみを参照して符号化されると判定された場合に、前記符号化手段は、前記第２の画像の所定領域以外を参照せずに、前記第２の画像の所定領域を参照して、前記第３の画像の、前記第２の画像の所定領域に対応する領域を符号化し、前記第１の画像における前記第２の画像の所定領域と対応する領域及び／又は前記第２の画像の所定領域と対応する領域以外の領域を参照して、前記第２の画像の所定領域を符号化する
ことを特徴とする請求項１に記載の画像符号化装置。
【請求項３】
前記第２の階層に対応する前記第２の画像は、前記第１の階層に対応する前記第１の画像より解像度又は画質の高い画像であり、
前記符号化手段は、前記２の階層を符号化対象の階層とし、前記第２の画像を符号化対象の画像として符号化する場合に、前記第１の階層を参照対象の階層とし、前記第１の画像を参照対象の画像として用い、
前記第３の階層に対応する前記第３の画像は、前記第２の階層に対応する前記第２の画像より解像度又は画質の高い画像であり、
前記符号化手段は、前記３の階層を符号化対象の階層とし、前記第３の画像を符号化対象の画像として符号化する場合に、前記第２の階層を参照対象の階層とし、前記第２の画像を参照対象の画像として用いる
ことを特徴とする請求項１又は２に記載の画像符号化装置。
【請求項４】
前記複数の階層のうち少なくともいずれか一つの画像内に、参照画像内の他の領域を参照せずに符号化する独立領域が含まれるか否かを判定する判定手段
を有することを特徴とする請求項１〜３のいずれか１項に記載の画像符号化装置。
【請求項５】
前記複数の階層のうち前記独立領域が存在する最も解像度又は画質の低い階層を表す情報を符号化する第２の符号化手段
を有することを特徴とする請求項４に記載の画像符号化装置。
【請求項６】
符号化対象の画像内に、参照画像内の他の領域を参照せずに符号化する独立領域が存在する場合に、前記符号化対象の画像における当該独立領域に対応する位置を示す情報を符号化した符号化データを出力する出力手段
を有することを特徴とする請求項１〜５のいずれか１項に記載の画像符号化装置。
【請求項７】
符号化対象の画像内に、参照画像内の他の領域を参照せずに符号化する独立領域が存在する場合に、前記符号化対象の画像内に当該独立領域が存在することを示すフラグと、前記符号化対象の画像における前記独立領域に対応する位置に関する情報とのうち少なくともいずれか一つを取得する第２の取得手段
を有し、
前記第２の取得手段は、シーケンス単位で前記フラグを生成する
ことを特徴とする請求項１〜６のいずれか１項に記載の画像符号化装置。
【請求項８】
前記符号化手段によって生成される符号化データを用いて復号画像を再生する局所復号手段と、
前記局所復号手段によって再生された前記復号画像の拡大を行う拡大手段と、
を有し、
前記拡大手段は、前記局所復号手段によって再生された前記復号画像のうち、符号化対象の画像の階層より空間解像度の低い階層の画像内の領域であって、前記符号化対象の画像における前記独立領域と相対的に等しい位置の領域のみを拡大する
ことを特徴とする請求項１〜７のいずれか１項に記載の画像符号化装置。
【請求項９】
前記第１の取得手段は、前記画像から互いに空間解像度の異なる前記第１の画像と前記第２の画像とを取得する手段であって、前記第２の画像を縮小した前記第１の画像を取得する
ことを特徴とする請求項１〜８のいずれか１項に記載の画像符号化装置。
【請求項１０】
動画像を構成する画像を複数の階層で階層符号化された符号化データを復号する画像復号装置であって、
前記符号化データから生成される、前記画像の第１の階層に対応する第１の画像と、当該第１の階層と異なる第２の階層に対応する第２の画像であって、前記第１の画像を参照して復号される第２の画像と、前記第１及び第２の階層と異なる第３の階層に対応する第３の画像であって、前記第２の画像を参照して符号化される第３の画像とのうち少なくともいずれかに対応する符号化データを取得する第１の取得手段と、
前記第１の画像、前記第２の画像、及び前記第３の画像のうちの少なくともいずれかに対応する符号化データを復号する復号手段と、
を有し、
前記復号手段は、
記第２の画像内の所定領域に対応する符号化データを、前記第１の画像内の、前記第２の画像内の所定領域と対応する領域及び／又は前記第２の画像の所定領域と対応する領域以外の領域を参照して復号し、
前記第３の画像内の、前記第２の画像内の所定領域に対応する領域に対応する符号化データを、前記第２の画像内の所定領域以外の領域を参照せずに、前記第２の画像内の所定領域を参照して復号する
ことを特徴とする画像復号装置。
【請求項１１】
前記第１の画像、前記第２の画像、及び前記第３の画像のうち少なくともいずれかの画像に対応する符号化データが、特定の領域のみを参照して復号されるか否かを判定する判定手段
を有し、
前記判定手段によって、前記第２の画像の所定領域に対応する符号化データが前記特定の領域のみを参照して復号されると判定された場合に、
前記復号手段は、前記第２の画像の所定領域以外を参照せずに、前記第２の画像の所定領域を参照して、前記第３の画像の、前記第２の画像の所定領域に対応する領域の符号化データを復号し、前記第１の画像における前記第２の画像の所定領域と対応する領域及び／又は前記第２の画像の所定領域と対応する領域以外の領域を参照して、前記第２の画像の所定領域の符号化データを復号する
ことを特徴とする請求項１０に記載の画像復号装置。
【請求項１２】
前記第２の階層に対応する前記第２の画像は、前記第１の階層に対応する前記第１の画像より解像度又は画質の高い画像であり、
前記復号手段は、前記２の階層の符号化データを復号対象の階層の符号化データとし、前記第２の画像の符号化データを復号対象の画像の符号化データとして復号する場合に、前記第１の階層を参照対象の階層とし、前記第１の画像を参照対象の画像として用い、
前記第３の階層に対応する前記第３の画像は、前記第２の階層に対応する前記第２の画像より解像度又は画質の高い画像であり、
前記復号手段は、前記３の階層の符号化データを復号対象の階層の符号化データとし、前記第３の画像の符号化データを復号対象の画像の符号化データとして復号する場合に、前記第２の階層を参照対象の階層とし、前記第２の画像を参照対象の画像として用いる
ことを特徴とする請求項１０又は１１に記載の画像復号装置。
【請求項１３】
前記複数の階層のうち少なくともいずれか一つの画像内に、参照画像内の他の領域を参照せずに復号する独立領域が含まれるか否かを判定する判定手段
を有することを特徴とする請求項１０〜１２のいずれか１項に記載の画像復号装置。
【請求項１４】
前記複数の階層のうち少なくともいずれか一つの画像内に、参照画像内の他の領域を参照せずに復号する独立領域が含まれているか否かに関する情報と、前記複数の階層のうち復号対象の階層に関する情報と、当該復号対象の階層の画像のうち復号対象の領域に関する情報とに基づいて、前記復号対象の領域が前記独立領域に含まれるか否かを判定する判定手段
を有し、
前記復号手段は、前記判定手段によって前記復号対象の領域が前記独立領域に含まれると判定された場合に、前記復号対象の階層を復号するための前記参照対象の階層における前記復号対象の領域に対応する位置に前記独立領域が設定されているか否かに基づいて、前記参照対象の階層の画像のうち参照対象の領域を決定し、前記参照対象の領域を用いて前記第１の取得手段によって取得された符号化データを復号する
ことを特徴とする請求項１０〜１３のいずれか１項に記載の画像復号装置。
【請求項１５】
前記判定手段によって前記復号対象の領域が前記独立領域に含まれると判定された場合に、前記参照対象の階層における前記復号対象の領域に対応する位置に前記独立領域が設定されているか否かに基づいて、前記参照対象の階層の画像のうち前記参照対象の領域を決定する決定手段
を有し、
前記復号手段は、前記決定手段によって決定された前記参照対象の領域を用いて、前記第１の取得手段よって取得された符号化データを復号する
ことを特徴とする請求項１４に記載の画像復号装置。
【請求項１６】
前記判定手段によって前記復号対象の領域が前記独立領域に含まれると判定された場合に、前記参照対象の階層の、前記復号対象の領域に対応する位置に、前記独立領域が設定されているか否かを判定する第２の判定手段
を有し、
前記決定手段は、前記第２の判定手段によって前記位置に前記独立領域が設定されていると判定された場合の参照領域の範囲よりも、前記第２の判定手段によって前記位置に前記独立領域が設定されていないと判定された場合の参照領域の範囲の方が小さくなるように、前記参照対象の領域を決定する
ことを特徴とする請求項１４に記載の画像復号装置。
【請求項１７】
前記決定手段は、前記第２の判定手段によって前記位置に前記独立領域が設定されていると判定された場合に前記参照領域を前記参照対象の階層における前記復号対象の領域に対応する範囲に決定し、前記第２の判定手段によって前記位置に前記独立領域が設定されていないと判定された場合に前記参照領域を前記参照対象の階層に対応する画像の全範囲に決定する
ことを特徴とする請求項１６に記載の画像復号装置。
【請求項１８】
前記複数の階層のうち前記独立領域が存在する最も解像度又は画質の低い階層を表す情報の符号化データを復号する第２の復号手段
を有することを特徴とする請求項１０〜１７のいずれか１項に記載の画像復号装置。
【請求項１９】
復号対象の画像内に、参照画像内の他の領域を参照せずに復号する独立領域が存在する場合に、前記復号対象の画像内に当該独立領域が存在することを示すフラグと、前記復号対象の画像における前記独立領域に対応する位置に関する情報とのうち少なくともいずれか一つを取得する第２の取得手段
を有することを特徴とする請求項１０〜１８のいずれか１項に記載の画像復号装置。
【請求項２０】
前記復号手段によって復号された復号画像を拡大する拡大手段と、前記拡大手段は、前記復号手段によって復号された前記復号画像のうち、復号対象の画像の階層より空間解像度の低い階層の画像内の領域であって、前記復号対象の画像における前記独立領域と相対的に等しい位置の領域のみを拡大する
ことを特徴とする請求項１０〜１９のいずれか１項に記載の画像復号装置。
【請求項２１】
前記第１の画像と前記第２の画像とは互いに空間解像度の異なる画像であって、前記第１の画像は前記第２の画像を縮小した画像である
ことを特徴とする請求項１０〜２０のいずれか１項に記載の画像復号装置。
【請求項２２】
動画像を構成する画像を複数の階層で階層符号化する画像符号化方法であって、
前記画像の第１の階層に対応する第１の画像と、当該第１の階層と異なる第２の階層に対応する第２の画像であって、前記第１の画像を参照して符号化される第２の画像と、前記第１及び第２の階層と異なる第３の階層に対応する第３の画像であって、前記第２の画像を参照して符号化される第３の画像とのうち少なくともいずれかを取得する第１の取得手段と、
前記第１の画像、前記第２の画像、及び前記第３の画像のうちの少なくともいずれかを符号化する符号化工程と、
を有し、
前記符号化工程において、
前記第２の画像内の所定領域を、前記第１の画像内の、前記第２の画像内の所定領域と対応する領域及び／又は前記第２の画像の所定領域と対応する領域以外の領域を参照して符号化し、
前記第３の画像内の、前記第２の画像内の所定領域に対応する領域を、前記第２の画像内の所定領域以外の領域を参照せずに、前記第２の画像内の所定領域を参照して符号化する
ことを特徴とする画像符号化方法。
【請求項２３】
動画像を構成する画像を複数の階層で階層符号化された符号化データを復号する画像復号方法であって、
前記符号化データから生成される、前記画像の第１の階層に対応する第１の画像と、当該第１の階層と異なる第２の階層に対応する第２の画像であって、前記第１の画像を参照して復号される第２の画像と、前記第１及び第２の階層と異なる第３の階層に対応する第３の画像であって、前記第２の画像を参照して符号化される第３の画像とのうち少なくともいずれかに対応する符号化データを取得する第１の取得工程と、
前記第１の画像、前記第２の画像、及び前記第３の画像のうちの少なくともいずれかに対応する符号化データを復号する復号工程と、
を有し、
前記復号工程において、
記第２の画像内の所定領域に対応する符号化データを、前記第１の画像内の、前記第２の画像内の所定領域と対応する領域及び／又は前記第２の画像の所定領域と対応する領域以外の領域を参照して復号し、
前記第３の画像内の、前記第２の画像内の所定領域に対応する領域に対応する符号化データを、前記第２の画像内の所定領域以外の領域を参照せずに、前記第２の画像内の所定領域を参照して復号する
ことを特徴とする画像復号方法。
【請求項２４】
請求項１〜９のいずれか１項に記載の画像符号化装置の各手段としてコンピュータを機能させることを特徴とするプログラム。
【請求項２５】
請求項１０〜２１のいずれか１項に記載の画像復号装置の各手段としてコンピュータを機能させることを特徴とするプログラム。
【手続補正２】
【補正対象書類名】明細書
【補正対象項目名】００１２
【補正方法】変更
【補正の内容】
【００１２】
上述の問題点を解決するため、本発明の画像符号化装置は以下の構成を有する。すなわち、動画像を構成する画像を複数の階層で階層符号化する画像符号化装置であって、前記画像の第１の階層に対応する第１の画像と、当該第１の階層と異なる第２の階層に対応する第２の画像であって、前記第１の画像を参照して符号化される第２の画像と、前記第１及び第２の階層と異なる第３の階層に対応する第３の画像であって、前記第２の画像を参照して符号化される第３の画像とのうち少なくともいずれかを取得する第１の取得手段と、前記第１の画像、前記第２の画像、及び前記第３の画像のうちの少なくともいずれかを符号化する符号化手段と、を有し、前記符号化手段は、前記第２の画像内の所定領域を、前記第１の画像内の、前記第２の画像内の所定領域と対応する領域及び／又は前記第２の画像の所定領域と対応する領域以外の領域を参照して符号化し、前記第３の画像内の、前記第２の画像内の所定領域に対応する領域を、前記第２の画像内の所定領域以外の領域を参照せずに、前記第２の画像内の所定領域を参照して符号化する。
【手続補正３】
【補正対象書類名】明細書
【補正対象項目名】００１３
【補正方法】変更
【補正の内容】
【００１３】
上述の問題点を解決するため、本発明の画像復号装置は以下の構成を有する。すなわち、動画像を構成する画像を複数の階層で階層符号化された符号化データを復号する画像復号装置であって、前記符号化データから生成される、前記画像の第１の階層に対応する第１の画像と、当該第１の階層と異なる第２の階層に対応する第２の画像であって、前記第１の画像を参照して復号される第２の画像と、前記第１及び第２の階層と異なる第３の階層に対応する第３の画像であって、前記第２の画像を参照して符号化される第３の画像とのうち少なくともいずれかに対応する符号化データを取得する第１の取得手段と、前記第１の画像、前記第２の画像、及び前記第３の画像のうちの少なくともいずれかに対応する符号化データを復号する復号手段と、を有し、前記復号手段は、記第２の画像内の所定領域に対応する符号化データを、前記第１の画像内の、前記第２の画像内の所定領域と対応する領域及び／又は前記第２の画像の所定領域と対応する領域以外の領域を参照して復号し、前記第３の画像内の、前記第２の画像内の所定領域に対応する領域に対応する符号化データを、前記第２の画像内の所定領域以外の領域を参照せずに、前記第２の画像内の所定領域を参照して復号する。